(57)【要約】【課題】貫接合部から楔、長尺楔、及びラップ型長尺楔が抜け出るのを防止する。【解決手段】楔１０は底面１４に切り欠き部１２を有している。切り欠き部１２は、後端面１６側から見たとき、後端面１６の下部中央部に、楔１０の後端面１６から先端面２２に向けて形成され、幅Ｗ１、深さＨ１で底面１４側に開口し、両側の端部は幅Ｗ２で切り残されている。切り欠き幅Ｗ１と切り残し幅Ｗ２は、Ｗ１＝２Ｗ２の関係とするのが望ましい。切り欠き部１２の長さＬ１は、楔１０を貫孔に打ち込んだ状態で、後端面１６から柱の側面１８Ｓまでの距離Ｌ２と等しいか、それより短くされている。具体的には０．５×Ｌ２＜Ｌ１≦Ｌ２の関係とするのが望ましい。【選択図】図１
2011226100.tif 000002
【特許請求の範囲】
【請求項１】
柱に設けられ貫が貫通した貫孔に打ち込まれる楔であって、
前記貫の上面と接する前記楔の底面には、前記楔の打ち込み方向の後端面から、前記打ち込み方向に向けて切り欠き部が設けられている楔。
【請求項２】
前記切り欠き部は、前記後端面の中央部に凹状に設けられ、
前記切り欠き部の長さは、前記後端面から前記柱の側面位置までの距離より短くされている請求項１に記載の楔。
【請求項３】
前記切り欠き部は、前記後端面の中央部を凸状に残して両側面に設けられ、
前記切り欠き部の長さは、前記後端面から前記柱の側面位置までの距離より短くされている請求項１に記載の楔。
【請求項４】
前記貫の上面と前記楔の接合面の少なくとも一方の面には、前記楔が抜け出る方向の滑りを抑制する滑り抑制手段が設けられている請求項１〜３のいずれか１項に記載の楔。
【請求項５】
請求項１〜４のいずれか１項に記載の楔を、柱に設けられ貫が貫通した貫孔に打ち込んだ貫接合部。
【請求項６】
柱に設けられ貫が貫通した貫孔に打ち込まれる長尺楔であって、
前記長尺楔の前記柱の側面から打ち込み方向の後端面までの長さが、前記長尺楔が打ち込まれた状態において、前記柱の幅の半分より長くされ、
前記長尺楔の底面には、前記後端面から前記打ち込み方向に向けて、前記後端面から前記柱の側面位置までの距離より短い切り欠き部が設けられている長尺楔。
【請求項７】
前記切り欠き部は、前記後端面の中央部に凹状に形成され、又は前記後端面の中央部を凸状に残して両側面に形成されている請求項６に記載の長尺楔。
【請求項８】
請求項６又は７に記載の長尺楔を、柱に設けられ貫が貫通した貫孔に打ち込んだ貫接合部。
【請求項９】
柱に設けられ貫が貫通した貫孔に前記柱の両側面から打ち込まれ、前記貫孔の内部で斜面同士が重ね合わされるラップ型長尺楔であって、
前記ラップ型長尺楔の前記柱の側面から打ち込み方向の後端面までの長さが、前記ラップ型長尺楔が打ち込まれた状態において、前記柱の幅の半分より長くされ、
前記ラップ型長尺楔の底面には、前記後端面から前記打ち込み方向に向けて、前記後端面から前記柱の側面位置までの距離より短い切り欠き部が設けられているラップ型長尺楔。
【請求項１０】
前記切り欠き部は、前記後端面の中央部に凹状に形成され、又は前記後端面の中央部を凸状に残して両側面に形成されている請求項９に記載のラップ型長尺楔。
【請求項１１】
請求項９又は１０に記載のラップ型長尺楔を、柱に設けられ貫が貫通した貫孔に打ち込んだ貫接合部。
【発明の詳細な説明】
【技術分野】
【０００１】
本発明は、楔、長尺楔、ラップ型長尺楔及びそれらの貫接合部に関する。
【背景技術】
【０００２】
木造建築の貫接合部には、柱と貫の接合部の剛性、強度を高めるために楔が打ち込まれている。
しかし、地震時の正負の交番加力を受けることによって、楔が抜け出し、著しく接合部としての性能が低下するという問題がある。貫接合部が建物の主たる耐震要素となっている場合、地震時の正負の交番加力によって楔が抜け出し、貫接合部の耐力が低下し、建物全体の耐震性に問題が生じる場合もありうる。
【０００３】
そこで、楔の抜け出しを防止する技術が提案されている（特許文献１）。
【０００４】
特許文献１によれば、図１２に示すように、柱８０に取り付けた接合金具８２に、梁８４の端部を嵌合支持させ、その接合金具８２の楔用窓孔８６と、梁８４の楔挿通孔８８とに楔案内片９０を装着すると共に、これに案内させて、打ち込み楔９２を打ち込むことにより、梁８４と柱８０とを接合している。
【０００５】
このとき、楔案内片９０の接合面には緩み止め突起９４が設けられており、打ち込み楔９２の接合面には緩み止め突条９６が設けられている。この緩み止め突起９４と緩み止め突条９６をかみ合わせることで、楔の抜け出しを防止している。
【０００６】
しかし、このようなラップ型の楔を貫接合部に使用した場合には、柱と貫の相対回転角が大きい変形を生じた場合に、ラップさせた上下の楔の端部が乖離することが実験により確認されており、特許文献１のかみ合わせにおいても、かみ合わせの効果が失われる可能性がある。
【０００７】
他の楔の抜け出し防止技術として、一方の楔の接触面に突起部を設け、他方の接触面に突起部が挿入されるスライド溝を設けた技術が提案されている（特許文献２）。
【０００８】
特許文献２によれば、図１３に示すように、楔１００同士の接触面１０２をのこぎり歯段状に加工し、そのかみ合いの位置で重ねた楔１００の高さを上下させ、基礎１０４と土台１０６間の高さを調節している。そして、下側の楔の接触面１０２には突起部１０４を設け、上側の楔の接触面１０２には突起部１０４が挿入されるスライド溝１０６を設け、楔１００の抜け出しを防止している。
【０００９】
しかし、上述したように、このようなラップ型の楔を貫接合部に使用した場合には、柱と貫の相対回転角が大きい変形を生じた場合に、ラップさせた上下の楔の端部が乖離することが実験により確認されており、地震時の正負の交番加力によって、乖離した突起部１０４とスライド溝１０６が元のようにかみ合う保障はなく、継続して繰返し荷重を受けた場合には、突起部１０４とスライド溝１０６がかみ合わなくなることが予測される。
【００１０】
また、段状部分は、間隔をある程度小さくしないと高さの細かい調整ができないこと、基本的に力による叩き込みになることから、突起部１０４の高さもある程度小さくなってしまう。突起部１０４の高さが小さくなれば、楔が外れやすくなる。
【先行技術文献】
【特許文献】
【００１１】
【特許文献１】特開２００６−１８３３７８号公報
【特許文献２】実開平６−２０７７１号公報
【発明の概要】
【発明が解決しようとする課題】
【００１２】
本発明は、上記事実に鑑み、貫接合部から楔が抜け出るのを防止することを目的とする。
【課題を解決するための手段】
【００１３】
請求項1に記載の発明に係る楔は、柱に設けられ貫が貫通した貫孔に打ち込まれる楔であって、前記貫の上面と接する前記楔の底面には、前記楔の打ち込み方向の後端面から、前記打ち込み方向に向けて切り欠き部が設けられていることを特徴としている。
【００１４】
請求項1に記載の発明によれば、楔の底面には、楔の打ち込み方向の後端面から楔の打ち込み方向に向けて切り欠き部が設けられ、貫の上面と接する楔の底面の面積が、楔の後端面から楔の打ち込み方向に向けて減少している。
【００１５】
これにより、貫接合部が地震時の正負の交番加力を受けたとき、楔の底面の面積が減少して応力が集中し易くなるので、楔の切り欠き部が設けられた底面の角部が貫の上面にめり込みを生じ、楔が抜き出る方向の移動が貫の上面で抑制される。
この結果、貫接合部から楔が抜け出るのを防止できる。
【００１６】
請求項２に記載の発明は、請求項１に記載の楔において、前記切り欠き部は、前記後端面の中央部に凹状に設けられ、前記切り欠き部の長さは、前記後端面から前記柱の側面位置までの距離より短くされていることを特徴としている。
【００１７】
請求項２に記載の発明によれば、切り欠き部は、楔を進行方向の後方から見たとき、後端面の中央部に凹状に設けられ、両端部が切り残されている。また、切り欠き部の長さは、後端面から柱の側面位置までの距離より短くされている。
これにより、貫接合部が地震時の正負の交番加力を受けたとき、楔の切り欠き部が設けられた底面の角部が貫の上面にめり込みを生じ、貫の上面で楔の抜き出る方向の移動を抑制する。
【００１８】
請求項３に記載の発明は、請求項１に記載の楔において、前記切り欠き部は、前記後端面の中央部を凸状に残して両側面に設けられ、前記切り欠き部の長さは、前記後端面から前記柱の側面位置までの距離より短くされていることを特徴としている。
【００１９】
請求項３に記載の発明によれば、切り欠き部は、楔を進行方向の後方から見たとき、後端面の中央部を凸状に残して両側面に設けられている。また、切り欠き部の長さは、後端面から柱の側面位置までの距離より短くされている。
これにより、貫接合部が地震時の正負の交番加力を受けたとき、楔の切り欠き部が設けられた底面の角部が貫の上面にめり込みを生じ、貫の上面で楔の抜き出る方向の移動を抑制する。
【００２０】
請求項４の発明は、請求項１〜３のいずれか１項に記載の楔において、前記貫の上面と前記楔の接合面の少なくとも一方の面には、前記楔が抜け出る方向の滑りを抑制する滑り抑制手段が設けられていることを特徴としている。
【００２１】
請求項４に記載の発明によれば、滑り抑制手段が楔の底面と貫の上面との接合面に設けられ、楔が抜け出る方向の滑りを抑制している。
これにより、貫接合部が地震時の正負の交番加力を受けたとき、滑り抑制手段が、楔が抜け出る方向の滑りを抑制し、楔の切り欠き部が設けられた底面の角部が、貫の上面にめり込みを生じる際のきっかけとなる。
この結果、貫接合部が受ける正負の交番加力の早期に、楔の切り欠き部が設けられた底面が貫の上面にめり込みを生じ、貫接合部から楔が抜け出るのを防止する。
【００２２】
請求項５に記載の発明に係る貫接合部は、請求項１〜４のいずれか１項に記載の楔を、柱に設けられ、貫が貫通した貫孔に打ち込んだことを特徴としている。
【００２３】
請求項５に記載の発明によれば、貫接合部には、請求項１〜４のいずれか１項に記載の楔が、貫が貫通した貫孔に打ち込まれている。
これにより、貫接合部が地震時の正負の交番加力を受けたとき、切り欠き部が設けられた楔の底面の角部が、貫の上面にめり込み、貫の上面で楔の抜き出る方向の移動が抑制される。この結果、貫接合部から楔が抜け出るのを防止できる。
【００２４】
請求項６に記載の発明に係る長尺楔は、柱に設けられ貫が貫通した貫孔に打ち込まれる長尺楔であって、前記長尺楔の前記柱の側面から打ち込み方向の後端面までの長さが、前記長尺楔が打ち込まれた状態において、前記柱の幅の半分より長くされ、前記長尺楔の底面には、前記後端面から前記打ち込み方向に向けて、前記後端面から前記柱の側面位置までの距離より短い切り欠き部が設けられていることを特徴としている。
【００２５】
請求項６に記載の発明によれば、柱の側面から後端面までの長さが、貫孔に打ち込まれた状態において、柱の幅の半分より長くされている長尺楔が貫孔に打ち込まれている。この長尺楔の底面には、後端面から打ち込み方向に向けて、後端面から柱の側面位置までの距離より短い切り欠き部が設けられている。
【００２６】
即ち、柱の側面から後端面までの長さが長いため、貫接合部が地震時の正負の交番加力を受けたとき、長尺楔の後端面の角部に大きなモーメントが生じ、長尺楔が貫の上面にめり込みを生じやすくなる。
【００２７】
更に、長尺楔の底面には、後端面から長尺楔の打ち込み方向に向けて切り欠き部が設けられており、貫の上面と接する長尺楔の底面の面積が、後端面から楔の打ち込み方向に向けて減少している。これにより、長尺楔の後端面の貫の上面へのめり込みが容易になる。
この結果、長尺楔が抜き出る方向の移動が貫の上面で抑制され、貫接合部から長尺楔が抜け出るのを防止できる。
【００２８】
請求項７に記載の発明は、請求項６に記載の長尺楔において、前記切り欠き部は、前記後端面の中央部に凹状に形成され、又は前記後端面の中央部を凸状に残して両側面に形成されていることを特徴としている。
【００２９】
請求項７に記載の発明によれば、長尺楔の底面には、長尺楔を進行方向の後方から見たとき、欠き部が後端面の中央部に凹状に形成されている。又は前記後端面の中央部を凸状に残して両側面に形成されている。
【００３０】
即ち、貫の上面と接する長尺楔の底面の面積が、長尺楔の後端面から楔の打ち込み方向に向けて減少されている。
【００３１】
これにより、いずれの切り欠き部の形状においても、長尺楔の底面の後端面側の面積が減少して応力が集中し易くなるので、貫接合部が地震時の正負の交番加力を受けたとき、長尺楔の切り欠き部が設けられた底面の後端面側の角部が貫の上面にめり込みを生じ易くなり、長尺楔が抜き出る方向の移動が貫の上面で抑制される。
この結果、貫接合部から長尺楔が抜け出るのを防止できる。
【００３２】
請求項８に記載の発明に係る貫接合部は、請求項６又は７に記載の長尺楔を、柱に設けられ貫が貫通した貫孔に打ち込んだことを特徴としている。
【００３３】
請求項８に記載の発明によれば、貫接合部には、請求項６又は７に記載の長尺楔が、貫が貫通した貫孔に打ち込まれている。
これにより、貫接合部が地震時の正負の交番加力を受けたとき、長尺楔の底面の後端面側に設けられた切り欠き部により、角部が貫の上面にめり込みを生じ易くなり、めり込むことで貫の上面で長尺楔の抜き出る方向の移動が抑制される。この結果、貫接合部から長尺楔が抜け出るのを防止できる。
【００３４】
請求項９に記載の発明に係るラップ型長尺楔は、柱に設けられ貫が貫通した貫孔に前記柱の両側面から打ち込まれ、前記貫孔の内部で斜面同士が重ね合わされるラップ型長尺楔であって、前記ラップ型長尺楔の前記柱の側面から打ち込み方向の後端面までの長さが、前記ラップ型長尺楔が打ち込まれた状態において、前記柱の幅の半分より長くされ、前記ラップ型長尺楔の底面には、前記後端面から前記打ち込み方向に向けて、前記後端面から前記柱の側面位置までの距離より短い切り欠き部が設けられていることを特徴としている。
【００３５】
請求項９に記載の発明によれば、柱の側面から打ち込み方向の後端面までの長さが、貫孔に打ち込まれた状態において、柱の幅の半分より長くされたラップ型長尺楔が、柱の両側面から貫孔に打ち込まれている。
【００３６】
このとき、ラップ型長尺楔の底面には、後端面から打ち込み方向に向けて、後端面から柱の側面位置までの距離より短い切り欠き部が設けられている。即ち、貫の上面と接するラップ型長尺楔の底面の面積が、ラップ型長尺楔の後端面からラップ型長尺楔の打ち込み方向に向けて減少している。
【００３７】
これにより、貫接合部が地震時の正負の交番加力を受けたとき、ラップ型長尺楔の底面の面積が減少され、応力が集中し易くされているので、切り欠き部が設けられた底面の角部が貫の上面にめり込みを生じ、ラップ型長尺楔が抜き出る方向の移動が貫の上面で抑制される。この結果、貫接合部からラップ型長尺楔が抜け出るのを防止できる。
【００３８】
請求項１０に記載の発明は、請求項９に記載のラップ型長尺楔において、前記切り欠き部は、前記後端面の中央部に凹状に形成され、又は前記後端面の中央部を凸状に残して両側面に形成されていることを特徴としている。
【００３９】
請求項１０に記載の発明によれば、切り欠き部は、ラップ型長尺楔を進行方向の後方から見たとき、後端面の中央部に凹状に形成されている。又は後端面の中央部を凸状に残して両側面に形成されている。即ち、貫の上面と接するラップ型長尺楔の底面の面積が、ラップ型長尺楔の後端面から楔の打ち込み方向に向けて減少している。
【００４０】
これにより、底面の面積が減少して応力が集中し易くなるので、貫接合部が地震時の正負の交番加力を受けたとき、ラップ型長尺楔の切り欠き部が設けられた底面の角部が貫の上面にめり込みを生じ、ラップ型長尺楔が抜き出る方向の移動が貫の上面で抑制される。
この結果、貫接合部からラップ型長尺楔が抜け出るのを防止できる。
【００４１】
請求項１１に記載の発明に係る貫接合部は、請求項９又は１０に記載のラップ型長尺楔を、柱に設けられ貫が貫通した貫孔に柱の両側から打ち込んだことを特徴としている。
【００４２】
請求項１１に記載の発明によれば、貫接合部には、請求項９又は１０のいずれか１項に記載のラップ型長尺楔が、貫が貫通した貫孔に打ち込まれている。
これにより、貫接合部が地震時の正負の交番加力を受けたとき、ラップ型長尺楔の切り欠き部が設けられた底面の角部が貫の上面にめり込み、貫の上面でラップ型長尺楔の抜き出る方向の移動が抑制され、貫接合部からラップ型長尺楔が抜け出るのを防止できる。
【発明の効果】
【００４３】
本発明は、上記構成としてあるので、貫接合部から楔、長尺楔、及びラップ型長尺楔が抜け出るのを防止できる。
【図面の簡単な説明】
【００４４】
【図１】本発明の第１の実施の形態に係る楔の基本構成を示す図である。
【図２】本発明の第１の実施の形態に係る楔の作用を説明するための図である。
【図３】本発明の第２の実施の形態に係る楔の基本構成を示す図である。
【図４】本発明の第３の実施の形態に係る楔の基本構成を示す図である。
【図５】本発明の第４の実施の形態に係る貫接合部の基本構成を示す図である。
【図６】本発明の第５の実施の形態に係る長尺楔の基本構成、及び貫接合部を示す図である。
【図７】本発明の第５の実施の形態に係る長尺楔の基本構成を示す図である。
【図８】本発明の第５の実施の形態に係る長尺楔の他の基本構成を示す図である。
【図９】本発明の第６の実施の形態に係るラップ型長尺楔の基本構成、及び貫接合部を示す図である。
【図１０】本発明の第６の実施の形態に係るラップ型長尺楔の基本構成を示す図である。
【図１１】本発明の第６の実施の形態に係るラップ型長尺楔の他の基本構成を示す図である。
【図１２】従来例の貫接合部の構成を示す図である。
【図１３】従来例の貫接合部の構成を示す図である。
【発明を実施するための形態】
【００４５】
（第１の実施の形態）
図１の楔１０の基本構成、及び図２の貫接合部に示すように、第１の実施の形態に係る楔１０は、底面１４に切り欠き部１２が形成されている。楔１０は、貫材２０より硬い木材で造られている。例えばヒノキの柱、ヒノキの貫に対してはケヤキ材等が望ましい。なお、楔１０の底面１４と上面２４が楔形を形成しており、切り欠き部１２を除き、広く使用されている楔と外観形状で変わるところはない。
【００４６】
底面１４に設けられた切り欠き部１２は、矢印Ｐで示す楔１０の打ち込み方向の後端面１６から、先端面２２に向けて、長さＬ１で形成されている。
切り欠き部１２の形状は、後端面１６側から見たとき図１（Ｂ）に示すように、後端面１６の下部中央部に、底面１４側に開口して切り欠かれている。切り欠き部１２の大きさは、幅Ｗ１、深さＨ１とされ、後端面１６の両側の端面が幅Ｗ２で切り残されている。
【００４７】
このとき、切り欠き幅Ｗ１と切り残し幅Ｗ２は、（１）式の関係とするのが望ましい。深さＨ１は、後述する貫の材質により決定される。
Ｗ１＝２Ｗ２・・・（１）
【００４８】
切り欠き部１２の長さＬ１は、楔１０を貫孔に打ち込んだ状態で、後端面１６の底面から２点鎖線で示す柱の側面１８Ｓまでの距離Ｌ２と等しいか、それより短くされている。具体的には（２）式の関係とするのが望ましい。
０．５×Ｌ２＜  Ｌ１  ≦Ｌ２・・・（２）
【００４９】
図１（Ｃ）に示すように、楔１０の底面１４の貫の上面と接する部分は、楔１０の後端面１６側においては、楔１０の先端面２２側に向けて、中央部に長さＬ１、幅Ｗ１の切り欠き部１２が設けられていることから、楔１０の後端面１６側の両端部に切り残された、網掛けされた面積Ｓ１の部分に減少される。
【００５０】
次に、作用について従来の楔と対比しながら説明する。
図２（Ａ）は、柱１８と貫２０の貫接合部に、従来の楔２６を打ち込んだ場合の挙動を示している。即ち、柱１８に設けられた貫孔２８に貫２０が貫通され、貫孔２８には、貫孔２８の上面２９と貫２０の上面２０Ｕの間に、従来の楔２６が打ち込まれている。なお、楔２６は、貫孔２８の両側からそれぞれ打ち込まれているが、片側のみ図示している。
【００５１】
楔２６は、楔１０と外観寸法や形状は同じであり、底面１４に切り欠き１２が設けられていない点のみが相違する。楔２６の先端面２２は、２点鎖線で示すように、柱１８の楔２６が打ち込まれた側の側面１８Ｓから中心に向けて、深さＲ１の位置まで打ち込まれている。
【００５２】
このとき、楔２６の上面２４は、貫孔２８の上面２９に押し当てられ、楔２６の底面と貫２０の上面２０Ｕは面接触し、接触面に作用する摩擦力で楔２６の横方向の移動が制限されている。
【００５３】
この状態で、柱１８が地震時の正負の交番加力Ｍを受けたとき、楔２６の上面２４は、押し当てられた貫孔２８の上面２９から、下方に作用する力Ｆ１及び横方向に作用する力Ｆ２を受ける。力Ｆ１による下方への移動は、面接触している貫２０で制限され、力Ｆ２による横方向の移動は、面接触している貫２０の上面２０Ｕと、楔２６の底面１４の間の摩擦力で制限される。
【００５４】
しかし、面接触している貫２０の上面２０Ｕと、楔２６の底面１４の間で滑りを生じた場合、楔２６は、滑った距離だけ抜け出す方向に移動する。そして、一旦移動した楔を元に戻す力が作用することはない。この結果、交番加力Ｍにより、楔２６が、徐々に貫孔２８から抜け出る方向に移動し、最後には実線で示すＲ２の位置まで移動する。この抜け出た位置では、楔の役目を果たすことはできない。
【００５５】
図２（Ｂ）は、柱１８と貫２０の貫接合部に、本実施の形態に係る楔１０を打ち込んだ場合の挙動を示している。柱１８に設けられた貫孔２８には貫２０が貫通され、貫孔２８には、貫孔２８の上面２９と貫２０の上面２０Ｕの間に、楔１０が打ち込まれている。なお、楔１０は、貫孔２８の両側からそれぞれ打ち込まれているが、片側のみ図示している。
【００５６】
楔１０の先端面２２は、柱１８の楔１０を打ち込んだ側の側面１８Ｓから中心へ向けて深さＲ１の位置まで打ち込まれている。このとき、楔１０の上面２４は貫孔２８の上面２９に押し当てられ、楔２６の底面と貫２０の上面２０Ｕは面接触し、接触面に作用する摩擦力で楔２６の横方向の移動が制限されている。
【００５７】
この状態で、柱１８が地震時の正負の交番加力Ｍを受けたとき、楔１０の上面２４は、押し当てられた貫孔２８の上面２９から、下方向に作用する力Ｆ１、及び横方向に作用する力Ｆ２を受ける。楔１０の底面１４は、後端面の付近において面積Ｓ１を減少させて応力が集中し易くしているので、力Ｆ１により、楔１０の切り欠き部が設けられた底面１４の角部が貫２０の上面に深さＨ２でめり込みを生じる。この結果、力Ｆ２が作用しても、後端面がめり込んでいることから貫２０の上面２０Ｕで受け止められ、楔１０の横方向の移動が抑制される。
これにより、楔１０が貫接合部から抜け出るのを防止できる。
【００５８】
なお、切り欠き部の深さＨ１は、想定される貫２０へのめり込み深さＨ２より大きくしている。なお、貫２０へのめり込み深さＨ２は、柱１８から受ける荷重の大きさと方向、貫２０の材質や寸法、楔１０の材質や寸法等により決定される。
【００５９】
（第２の実施の形態）
図３に示すように、第２の実施の形態に係る楔３０は、底面１４に切り欠き部３２を有している。楔３０は、第１の実施の形態で説明した楔１０と切り欠き部の形状が異なるのみである。相違点を中心に以下説明する。
【００６０】
切り欠き部３２は、楔３０の底面１４に設けられ、矢印Ｐで示す打ち込み方向の後端面１６から、楔３０の先端面２２に向けて両側面に形成されている。
【００６１】
切り欠き部３２は、図３（Ｂ）に示すように、楔３０の後端面１６から見たとき、両側の端面に幅Ｗ３、深さＨ１で切り欠かれ、中央部は幅Ｗ４で切り残されている。このとき、幅Ｗ３とＷ４は、（３）式の関係とするのが望ましい。
Ｗ４＝２Ｗ３・・・（３）
【００６２】
切り欠き部の長さＬ１は、楔３０を貫孔に打ち込んだ状態で、後端面１６から２点鎖線で示す柱の側面１８Ｓまでの距離Ｌ２と等しいか、それより短くされている。具体的には（２）式の関係とするのが望ましい。
０．５×Ｌ２＜  Ｌ１  ≦Ｌ２・・・（２）
【００６３】
図３（Ｃ）に示すように、楔３０の貫２０の上面２０Ｕと接する底面１４は、後端面１６の付近において、楔３０の後端面１６から楔３０の先端面２２に向けて切り欠き部３２が形成されているため、この部分において、面積Ｓ２（網掛け部分）が減少している。
これにより、第１の実施の形態で説明した作用、効果を得ることができる。
【００６４】
（第３の実施の形態）
図４（Ａ）に示すように、第３の実施の形態に係る楔７０は、第１の実施の形態で説明した楔１０の底面１４に、滑り止め板６６を設けている。他は第１の実施の形態と同じであり、相違する点について以下説明する。
【００６５】
滑り止め板６６は鋼板で形成され、平板部には、複数の爪６８が一方の面から切り起こされている。爪６８は先端が鋭利な形状とされ、尖った側を楔７０の打ち込み方向Ｐと反対側に向け、かつ、爪６８が設けられた面を外側（貫２０側）にして、楔７０の底面１４と固定される。このとき、固定位置は、切り欠き部１２周囲の底面１４が切り残された部分である。
【００６６】
これにより、図４（Ｂ）に示すように、柱１８が地震時の正負の交番加力Ｍを受けたとき、下向きに作用する力Ｆ１、及び横向きに作用する力Ｆ２を受けて、滑り止め板６６の爪６８が貫２０の上面２０Ｕに突き刺さり、横方向の滑りを抑制する。これにより、楔７０の底面１４に設けられた切り欠き部１２の角部が、貫２０の上面２０Ｕにめり込みを生じる際のきっかけとなる。
【００６７】
この結果、地震時の早期に、楔７０の切り欠き部１２が設けられた底面１４が、貫２０の上面２０Ｕにめり込みを生じ、貫孔２８から楔７０が抜け出るのを防止する。
【００６８】
なお、第１の実施の形態で説明した楔１０を例に説明したが、これに限定されることはなく、第２の実施の形態で説明した楔３０、後述する長尺楔３４、４６、ラップ型長尺楔５０、５６に適用してもよい。
【００６９】
（第４の実施の形態）
図５に示すように、第４の実施の形態に示す貫接合部４０は、柱１８に設けられた貫孔２８に貫２０を貫通し、貫孔２８には、柱１８の両側から楔１０が打ち込まれ、両楔締めとされている。
【００７０】
楔１０の先端部２２は、貫孔２８の内部に正常な位置である深さＲ１の位置まで打ち込まれている。このとき、楔１０の上面２４は、貫孔２８の上端部２９に押し当てられ、先端面２２は、柱１８の中心近くに到達している。
【００７１】
この状態で、貫接合部４０が地震時の正負の交番加力Ｍを受けたとき、第１の実施の形態で説明したように、両側の楔１０は、それぞれ、切り欠き部１２が設けられた底面１４の角部が貫２０の上面に深さＨ２のめり込みを生じ、楔１０が抜き出る方向の移動が貫２０の上面で抑制される。
この結果、貫接合部４０において、両側から打ち込まれた楔１０が抜け出るのを防止できる。
【００７２】
なお、以上の説明は、楔１０を用いて行ったが、第２、及び第３の実施の形態で説明した楔３０、又は楔７０を用いても同じ作用、効果を得ることができる。更に、後述する、長尺楔３４、４６、ラップ型長尺楔５０、５６に適用しても同じ作用、効果を得ることができる。
【００７３】
（第５の実施の形態）
図６に示すように、第５の実施の形態に示す長尺楔３４は、柱１８に設けられた貫孔２８に、貫孔２８を貫通する貫２０の上面２０Ｕと底面６４を接して打ち込まれている。
【００７４】
長尺楔３４は、貫孔２８に打ち込まれた状態において、柱１８の側面１８Ｓから長尺楔３４の後端面３６までの長さＬ３を、柱１８の幅寸法Ｄの半分より長くしている。長尺楔３４の底面６４には、切り欠き部４２が設けられている。
【００７５】
長尺楔３４は、第１の実施の形態で説明した楔１０と同じ形状の切り欠き部４２を有している点で共通し、打ち込まれた状態において、柱の側面１８Ｓから後端面３４までの長さが柱１８の幅寸法Ｄの半分（Ｄ／２）より長い点において相違する。以下、相違点を中心に説明する。
【００７６】
長尺楔３４は、柱１８の側面１８Ｓから後端面３４までの長さＬ３が、第１の実施の形態で説明した楔１０より長くされているので、長尺楔３４の後端面３６は、柱１８の側面１８Ｓから離れた位置となる。
【００７７】
この結果、柱１８が地震時の正負の交番加力Ｍを受けたとき、長尺楔３４の下方向に作用する力が大きくなり、底面６４の角部が貫２０の上面２０Ｕにめり込みを生じ易くなる。これにより、貫２０の上面２０Ｕに長尺楔３４の後端面３６を、容易にめり込ませることができる。この結果、長尺楔３４が抜き出る方向の移動が貫２０の上面２０Ｕで抑制され、貫接合部から長尺楔３４が抜け出るのを防止できる。
【００７８】
具体的には、図７に示すように、切り欠き部４２が長尺楔３４の底面６４に、後端面３６から先端面２２に向けて形成されている。切り欠き部４２の形状と作用は、第１の実施の形態で説明したものと同じである。
【００７９】
即ち、切り欠き部４２の形状は、後端面３６から見た場合、後端面３６の底面６４側の中央部に、底面６４側に開口して幅Ｗ１、深さＨ１で凹状に形成され、後端面１６の両側の端面は幅Ｗ２で切り残されている。
【００８０】
このとき、切り欠き幅Ｗ１と切り残し幅Ｗ２は、（１）式の関係とするのが望ましい。
Ｗ１＝２Ｗ２・・・（１）
【００８１】
切り欠き部４２の長さＬ４は、楔３４を貫孔２８に打ち込んだ状態で、後端面１６から２点鎖線で示す柱の側面１８Ｓまでの距離Ｌ３と等しいか、それより短くされている。具体的には（３）式の関係とするのが望ましい。
０．５×Ｌ３＜  Ｌ４  ≦Ｌ３・・・（３）
【００８２】
長尺楔３４の底面６４に切り欠き部４２を設けることにより、貫２０の上面２０Ｕと接する楔３８の底面６４の面積Ｓ５が、楔３８の後端面３６から長尺楔３４の先端面２２に向け減少する。
【００８３】
これにより、上述したように、貫２０の上面２０Ｕに長尺楔３８の底面６４の角部を容易にめり込ませることができる。この結果、長尺楔３８が抜き出る方向の移動が貫２０の上面２０Ｕで抑制され、貫接合部から長尺楔３４が抜け出るのを防止できる。
なお、切り欠き部の形状は、図８に記載した切り欠き部４８としても、同じ作用、効果を得ることができる。
【００８４】
（第６の実施の形態）
図９に示すように、第６の実施の形態に示すラップ型長尺楔５０は、柱１８に設けられた貫孔２８に、柱１８の両側の側面１８Ｓから打ち込まれている。そして、柱１８の内部でラップ型長尺楔５０同士が重ね合わされる。
【００８５】
ラップ型長尺楔５０は、柱１８の側面１８Ｓからラップ型長尺楔５０の後端面６２までの長さＬ５を、打ち込まれた状態において、柱１８の幅Ｄの半分より長くしている。ラップ型長尺楔５０の底面５８には、切り欠き部４２が設けられている。
【００８６】
ラップ型長尺楔５０は、第５の実施の形態で説明した長尺楔３４と同様に、柱１８の側面１８Ｓから後端面６２までの長さＬ５が長くされているので、ラップ型長尺楔５０の後端面６２は、柱１８の側面１８Ｓから離れた位置となる。これにより、柱１８が地震時の正負の交番加力Ｍを受けたとき、後端面６２付近が貫２０の上面２０Ｕにめり込みを生じ易くなる。
【００８７】
この結果、ラップ型長尺楔５０の底面５８に切り欠き部を形成しなくても、貫２０の上面２０Ｕにラップ型長尺楔５０の底面５８の角部をめり込ませることができる。この結果、ラップ型長尺楔５０が抜き出る方向の移動が貫２０の上面２０Ｕで抑制され、貫接合部からラップ型長尺楔５０が抜け出るのを防止できる。
【００８８】
具体的には、図１０に示すように、切り欠き部４２は、ラップ型長尺楔５０の底面５８に、後端面６２から先端面５２に向けて形成されている。
【００８９】
切り欠き部４２は、第１の実施の形態で説明したものと同じであり、後端面６２側から見たときの切り欠き幅Ｗ１と切り残し幅Ｗ２は、（１）式の関係とするのが望ましい。
Ｗ１＝２Ｗ２・・・（１）
【００９０】
切り欠き部４２の長さＬ４は、ラップ型長尺楔５４を貫孔に打ち込んだ状態で、後端面６２から２点鎖線で示す柱の側面１８Ｓまでの距離Ｌ３と等しいか、それより短くされている。具体的には（３）式の関係とするのが望ましい。
０．５×Ｌ３＜  Ｌ４  ≦Ｌ３・・・（３）
【００９１】
ラップ型長尺楔５０の底面５８に切り欠き部４２を設けることにより、貫２０の上面２０Ｕと接する部分の面積Ｓ５が、ラップ型長尺楔５０の後端面６２からラップ型長尺楔５４の先端面５２に向けて減少する。
【００９２】
この結果、上述したように、ラップ型長尺楔５４の底面５８の角部が、貫２０の上面２０Ｕに容易にめり込みを生じ、ラップ型長尺楔５４が抜き出る方向の移動が貫の上面２０Ｕで抑制され、貫孔２８からラップ型長尺楔５４が抜け出るのを防止できる。
【００９３】
なお、底面５８の切り欠き部４２は、図１１に示す切り欠き部４８としても、同じ作用、効果を得ることができる。
【符号の説明】
【００９４】
１０  楔
１２  切り欠き部
１４  底面
１６  後端面
１８  柱
２０  貫
２２  先端面
２８  貫孔
３４  長尺楔
４０  貫接合部
５０  ラップ型長尺楔
６６  滑り止め板（滑り抑制手段）
６８  爪（滑り抑制手段）
７０  楔
【図１】
2011226100.tif 000003
【図２】
2011226100.tif 000004
【図３】
2011226100.tif 000005
【図４】
2011226100.tif 000006
【図５】
2011226100.tif 000007
【図６】
2011226100.tif 000008
【図７】
2011226100.tif 000009
【図８】
2011226100.tif 000010
【図９】
2011226100.tif 000011
【図１０】
2011226100.tif 000012
【図１１】
2011226100.tif 000013
【図１２】
2011226100.tif 000014
【図１３】
2011226100.tif 000015